(57)【特許請求の範囲】
【請求項１】
DVD-Audioディスクからデータを読み出すソース装置と、ソース装置に伝送路を介して接続した１以上のシンク装置とを有するDVD-Audio再生システムであって、
前記ソース装置は、
DVD-Audioディスクから読み出した、プレゼンテーションデータが多重化されたＰＳ(Program Stream)を、前記シンク装置に、前記伝送路を介して配信するプレゼンテーションデータ配信手段と、
当該ソース装置の前記DVD-Audioディスクの再生制御パラメータであるところのシステムパラメータをユーザ操作に応じて変更する再生制御パラメータ変更手段と、
前記再生制御パラメータ変更手段が前記システムパラメータを変更したときに、前記プレゼンテーションデータ配信手段が配信するＰＳに、前記システムパラメータを多重化するシステムパラメータ多重化手段と、
前記ＰＳに多重化されるシステムパラメータのデータレートが所定のレート以下となるように、前記再生制御パラメータ変更手段によるユーザ操作に応じた前記システムパラメータの変更を制限するユーザ操作制限手段とを有し、
前記シンク装置は、
前記ソース装置から配信されたＰＳから分離した前記システムパラメータを用いつつ、前記ソース装置から配信されたＰＳから分離したプレゼンテーションデータをデコードして出力するデコード手段を有し、
前記再生制御パラメータ変更手段は、DVD-Audioディスクに記録されたナビゲーションデータに従ってシステムパラメータを変更し、
前記ユーザ操作制限手段は、前記再生制御パラメータ変更手段によるナビゲーションデータに従ったシステムパラメータの変更の発生頻度を予測し、予測した発生頻度と、前記再生制御パラメータ変更手段によるユーザ操作に応じた前記システムパラメータの変更の発生頻度の和が、所定の頻度以下となるように、前記再生制御パラメータ変更手段によるユーザ操作に応じた前記システムパラメータの変更を制限することを特徴とするDVD-Audio再生システム。
【請求項２】
DVD-Audioディスクからデータを読み出すソース装置と、ソース装置に伝送路を介して接続した１以上のシンク装置とを有するDVD-Audio再生システムであって、
前記ソース装置は、
DVD-Audioディスクから読み出した、プレゼンテーションデータが多重化されたＰＳ(Program Stream)を、前記シンク装置に、前記伝送路を介して配信するプレゼンテーションデータ配信手段と、
当該ソース装置の前記DVD-Audioディスクの再生制御パラメータであるところのシステムパラメータをユーザ操作に応じて変更する再生制御パラメータ変更手段と、
前記再生制御パラメータ変更手段が前記システムパラメータを変更したときに、前記プレゼンテーションデータ配信手段が配信するＰＳに、前記システムパラメータを多重化するシステムパラメータ多重化手段と、
前記ＰＳに多重化されるシステムパラメータのデータレートが所定のレート以下となるように、前記再生制御パラメータ変更手段によるユーザ操作に応じた前記システムパラメータの変更を制限するユーザ操作制限手段とを有し、
前記シンク装置は、
前記ソース装置から配信されたＰＳから分離した前記システムパラメータを用いつつ、前記ソース装置から配信されたＰＳから分離したプレゼンテーションデータをデコードして出力するデコード手段を有し、
前記再生制御パラメータ変更手段は、DVD-Audioディスクに記録された、ランダムなタイミングでのシステムパラメータの変更を指定するナビゲーションデータに従って、ランダムに設定したタイミングでシステムパラメータを変更し、かつ、前記ユーザ操作に応じた前記システムパラメータの変更を行った場合に、前記ナビゲーションデータに従ってシステムパラメータを変更するタイミングを、より小さい発生頻度で当該ナビゲーションデータに従ったシステムパラメータの変更が発生するように変化させることを特徴とするDVD-Audio再生システム。
【請求項３】
DVD-Audioディスクからデータを読み出すソース装置と、ソース装置に伝送路を介して接続した１以上のシンク装置とを有するDVD-Audio再生システムであって、
前記ソース装置は、
DVD-Audioディスクから読み出した、プレゼンテーションデータが多重化されたＰＳ(Program Stream)を、前記シンク装置に、前記伝送路を介して配信するプレゼンテーションデータ配信手段と、
当該ソース装置の前記DVD-Audioディスクの再生制御パラメータであるところのシステムパラメータをユーザ操作に応じて変更する再生制御パラメータ変更手段と、
前記再生制御パラメータ変更手段が前記システムパラメータを変更したときに、前記プレゼンテーションデータ配信手段が配信するＰＳに、前記システムパラメータを多重化するシステムパラメータ多重化手段と、
前記ＰＳに多重化されるシステムパラメータのデータレートが所定のレート以下となるように、前記再生制御パラメータ変更手段によるユーザ操作に応じた前記システムパラメータの変更を制限するユーザ操作制限手段とを有し、
前記シンク装置は、
前記ソース装置から配信されたＰＳから分離した前記システムパラメータを用いつつ、前記ソース装置から配信されたＰＳから分離したプレゼンテーションデータをデコードして出力するデコード手段を有し、
前記システムパラメータは、DVD-Audio規格で規定されたASV番号SPRM(24)と、選択状態用ハイライトボタン番号SPRM(8)であり、
前記再生制御パラメータ変更手段は、前記プレゼンテーションデータ配信手段によるオーディオプレゼンテーションのＰＳの前記シンク装置への配信中に、前記再生制御パラメータ変更手段が前記システムパラメータを変更したときに、前記プレゼンテーションデータ配信手段が配信するＰＳに、前記システムパラメータを多重化し、
前記ユーザ操作制限手段は、前記プレゼンテーションデータ配信手段によるオーディオプレゼンテーションのＰＳの前記シンク装置への配信中に、前記ＰＳに多重化されるシステムパラメータのデータレートが所定のレート以下となるように、前記再生制御パラメータ変更手段によるユーザ操作に応じた前記システムパラメータの変更を制限することを特徴とするDVD-Audio再生システム。
【請求項４】
請求項１記載のDVD-Audio再生システムであって、
前記システムパラメータは、DVD-Audio規格で規定されたASV番号SPRM(24)と、選択状態用ハイライトボタン番号SPRM(8)であり、
前記再生制御パラメータ変更手段は、前記プレゼンテーションデータ配信手段によるオーディオプレゼンテーションのＰＳの前記シンク装置への配信中に、 DVD-Audioディスクに記録されたASVの自動遷移またはスライドショーのためのナビゲーションデータに従ってASV番号SPRM(24)を変更し、
前記ユーザ操作制限手段は、前記プレゼンテーションデータ配信手段によるオーディオプレゼンテーションのＰＳの前記シンク装置への配信中に、前記再生制御パラメータ変更手段によるナビゲーションデータに従ったASV番号SPRM(24)の変更の発生頻度を予測し、予測した発生頻度と、前記再生制御パラメータ変更手段によるユーザ操作に応じた前記システムパラメータの変更の発生頻度の和が、所定の頻度以下となるように、前記再生制御パラメータ変更手段によるユーザ操作に応じた前記システムパラメータの変更を制限することを特徴とするDVD-Audio再生システム。
【請求項５】
請求項２記載のDVD-Audio再生システムであって、
前記システムパラメータは、DVD-Audio規格で規定されたASV番号SPRM(24)と、選択状態用ハイライトボタン番号SPRM(8)であり、
前記再生制御パラメータ変更手段は、前記プレゼンテーションデータ配信手段によるオーディオプレゼンテーションのＰＳの前記シンク装置への配信中に、 DVD-Audioディスクに記録されたASVのランダムなタイミングでの自動遷移のためのナビゲーションデータに従って、当該ランダムなタイミングを決定し、決定したランダムなタイミングでASV番号SPRM(24)を変更し、かつ、前記ユーザ操作に応じた前記システムパラメータの変更を行った場合に、前記ASVのランダムなタイミングでの自動遷移のためのナビゲーションデータに従ってASV番号SPRM(24)を変更するタイミングを、より小さい発生頻度で当該ナビゲーションデータに従ったASV番号SPRM(24)の変更が発生するように変化させることを特徴とするDVD-Audio再生システム。
【請求項６】
請求項１、２、３、４または５記載のDVD-Audio再生システムであって、
当該DVD-Audio再生システムは、自動車に搭載されることを特徴とするDVD-Audio再生システム。
【請求項７】
DVDディスクからデータを読み出すソース装置と、ソース装置に伝送路を介して接続した１以上のシンク装置とを有するDVD再生システムであって、
前記ソース装置は、
DVDディスクから読み出した、プレゼンテーションデータが多重化されたＰＳ(Program Stream)を、前記シンク装置に、前記伝送路を介して配信するプレゼンテーションデータ配信手段と、
当該ソース装置の前記DVDディスクの再生制御パラメータであるところのシステムパラメータをユーザ操作に応じて変更する再生制御パラメータ変更手段と、
前記再生制御パラメータ変更手段が前記システムパラメータを変更したときに、前記プレゼンテーションデータ配信手段が配信するＰＳに、前記システムパラメータを多重化するシステムパラメータ多重化手段と、
前記ＰＳに多重化されるシステムパラメータのデータレートが所定のレート以下となるように、前記再生制御パラメータ変更手段によるユーザ操作に応じた前記システムパラメータの変更を制限するユーザ操作制限手段とを有し、
前記シンク装置は、
前記ソース装置から配信されたＰＳから分離した前記システムパラメータを用いつつ、前記ソース装置から配信されたＰＳから分離したプレゼンテーションデータをデコードして出力するデコード手段を有し、
前記再生制御パラメータ変更手段は、DVDディスクに記録されたナビゲーションデータに従ってシステムパラメータを変更し、
前記ユーザ操作制限手段は、前記再生制御パラメータ変更手段によるナビゲーションデータに従ったシステムパラメータの変更の発生頻度を予測し、予測した発生頻度と、前記再生制御パラメータ変更手段によるユーザ操作に応じた前記システムパラメータの変更の発生頻度の和が、所定の頻度以下となるように、前記再生制御パラメータ変更手段によるユーザ操作に応じた前記システムパラメータの変更を制限することを特徴とするDVD再生システム。
【請求項８】
DVDディスクからデータを読み出すソース装置と、ソース装置に伝送路を介して接続した１以上のシンク装置とを有するDVD再生システムであって、
前記ソース装置は、
DVDディスクから読み出した、プレゼンテーションデータが多重化されたＰＳ(Program Stream)を、前記シンク装置に、前記伝送路を介して配信するプレゼンテーションデータ配信手段と、
当該ソース装置の前記DVDディスクの再生制御パラメータであるところのシステムパラメータをユーザ操作に応じて変更する再生制御パラメータ変更手段と、
前記再生制御パラメータ変更手段が前記システムパラメータを変更したときに、前記プレゼンテーションデータ配信手段が配信するＰＳに、前記システムパラメータを多重化するシステムパラメータ多重化手段と、
前記ＰＳに多重化されるシステムパラメータのデータレートが所定のレート以下となるように、前記再生制御パラメータ変更手段によるユーザ操作に応じた前記システムパラメータの変更を制限するユーザ操作制限手段とを有し、
前記シンク装置は、
前記ソース装置から配信されたＰＳから分離した前記システムパラメータを用いつつ、前記ソース装置から配信されたＰＳから分離したプレゼンテーションデータをデコードして出力するデコード手段を有し、
前記再生制御パラメータ変更手段は、DVDディスクに記録された、ランダムなタイミングでのシステムパラメータの変更を指定するナビゲーションデータに従って、ランダムに設定したタイミングでシステムパラメータを変更し、かつ、前記ユーザ操作に応じた前記システムパラメータの変更を行った場合に、前記ナビゲーションデータに従ってシステムパラメータを変更するタイミングを、より小さい発生頻度で当該ナビゲーションデータに従ったシステムパラメータの変更が発生するように変化させることを特徴とするDVD再生システム。
【発明の詳細な説明】
【技術分野】
【０００１】
本発明は、主として、ソース装置とシンク装置を備え、ソース装置でDVD-Audioディスクから読み出したオーディオデータの再生出力をシンク装置において行うＤＶＤオーディオ再生システムに関するものである。
【背景技術】
【０００２】
ソース装置とシンク装置を備え、ソース装置でDVD-Audioディスクから読み出したオーディオデータの再生出力をシンク装置において行うＤＶＤオーディオ再生システムに類似したシステムとしては、DVDディスクの読み取りを行うＤＶＤドライブを備えたソース装置と、当該ソース装置とバスやネットワークで接続した複数のシンク装置を備え、ソース装置がＤＶＤドライブを介してDVDディスクからデータを読み出して各シンク装置に転送し、各シンク装置において転送されたデータが表すオーディオを出力するシステムが知られている（たとえば、特許文献１）。
【特許文献１】特表２００２-５３５１９７号公報
【発明の開示】
【発明が解決しようとする課題】
【０００３】
さて、ソース装置とシンク装置を備え、ソース装置でDVD-Audioディスクから読み出したオーディオデータの再生出力をシンク装置において行うＤＶＤオーディオ再生システムを構成する場合、ソース装置から各シンク装置に転送するデータとして、DVD-Audioディスクに記録されているオーディオデータを多重化したPS（Program Stream)と、同様な構成を持つPSを用い、各シンク装置においてそれぞれ転送されたPSをデコードして出力することが考えられる。
【０００４】
一方で、DVD-Audio規格に従ったDVD-Audioディスクに記録されているPSのデコードは、PSのみを用いて行われるのではなく、DVD-Audioディスクの再生制御状態を表すシステムパラメータに応じてPSをデコードすることにより行われている。また、このシステムパラメータは、DVD-Audioディスクの再生箇所の決定などにも用いられる。したがって、このようなシステムパラメータの値は、ソース装置とシンク装置において共有される必要がある。
【０００５】
そこで、ソース装置とシンク装置において、システムパラメータをそれぞれ管理し、システムパラメータの変化時に、ソース装置からシンク装置にシステムパラメータをPS に多重化して送信することにより、ソース装置とシンク装置において同一のシステムパラメータを保持するようにすることが考えられる。
【０００６】
しかし、システムパラメータには、ユーザ操作に応じて値が変更されるものがあり、このようなユーザ操作によるシステムパラメータの値の変更を無制限に許容すると、過剰な頻度でシステムパラメータの変化が生じ、システムパラメータのソース装置からシンク装置への送信のために、シームレスに再生できるようにオーディオデータをソース装置からシンク装置に送信できなくなってしまう場合がある。
【０００７】
そこで、本発明は、ソース装置と複数のシンク装置を備え、ソース装置から各シンク装置に転送するデータとして、DVD-Audioディスクに記録されているPSと同様な構成を持つPSを用いるＤＶＤオーディオ再々システムにいて、ソース装置からソース装置へのシステムパラメータの送信のために、シンク装置におけるオーディオデータのシームレスな再生が阻害されないようにすることを課題とする。
【課題を解決するための手段】
【０００８】
前記課題達成のために本発明は、DVD-Audioディスクからデータを読み出すソース装置と、ソース装置に伝送路を介して接続した１以上のシンク装置とを有するＤＶＤ再生システムにおいて、前記ソース装置に、DVDディスクから読み出した、プレゼンテーションデータが多重化されたＰＳ(Program Stream)を、前記シンク装置に、前記伝送路を介して配信するプレゼンテーションデータ配信手段と、当該ソース装置の前記DVD-Audioディスクの再生制御パラメータであるところのシステムパラメータをユーザ操作に応じて変更する再生制御パラメータ変更手段と、前記再生制御パラメータ変更手段が前記システムパラメータを変更したときに、前記プレゼンテーションデータ配信手段が配信するＰＳに、前記システムパラメータを多重化するシステムパラメータ多重化手段と、前記ＰＳに多重化されるシステムパラメータのデータレートが所定のレート以下となるように、前記再生制御パラメータ変更手段によるユーザ操作に応じた前記システムパラメータの変更を制限するユーザ操作制限手段とを備え、前記シンク装置に、前記ソース装置から配信されたＰＳから分離した前記システムパラメータを用いつつ、前記ソース装置から配信されたＰＳから分離したプレゼンテーションデータをデコードして出力するデコード手段を備えたものである。
【０００９】
なお、より具体的には、たとえば、前記システムパラメータは、DVD-Audio規格で規定されたASV番号SPRM(24)と、選択状態用ハイライトボタン番号SPRM(8)であってよく、この場合、前記再生制御パラメータ変更手段は、前記プレゼンテーションデータ配信手段によるオーディオプレゼンテーションのＰＳの前記シンク装置への配信中に、前記再生制御パラメータ変更手段が前記システムパラメータを変更したときに、前記プレゼンテーションデータ配信手段が配信するＰＳに、前記システムパラメータを多重化し、前記ユーザ操作制限手段は、前記プレゼンテーションデータ配信手段によるオーディオプレゼンテーションのＰＳの前記シンク装置への配信中に、前記ＰＳに多重化されるシステムパラメータのデータレートが所定のレート以下となるように、前記再生制御パラメータ変更手段によるユーザ操作に応じた前記システムパラメータの変更を制限する。
【００１０】
このようなＤＶＤオーディオ再生システムによれば、ソース装置におけるシステムパラメータの値の変化時に、ソース装置からシンク装置に配信する、オーディオデータ等のプレゼンテーションデータが多重化されたＰＳに、さらにシステムパラメータを多重化することにより、ソース装置からシンク装置へシステムパラメータを送信するので、ソース装置とシンク装置においてシステムパラメータの値を共有することができる。また、前記ＰＳに多重化されるシステムパラメータのデータレートが所定のレート以下となるように、前記再生制御パラメータ変更手段によるユーザ操作に応じた前記システムパラメータの変更を制限することができるので、過剰な頻度でシステムパラメータの変化が生じ、システムパラメータのソース装置からシンク装置への送信のために、シームレスに再生できるように、オーディオデータを前記ＰＳによってソース装置からシンク装置に送信できなくなってしまうことを抑制することができる。
【００１１】
ここで、このようなDVD-Audio再生システムでは、前記再生制御パラメータ変更手段が、DVD-Audioディスクに記録されたナビゲーションデータに従ってシステムパラメータを変更するものである場合には、前記ユーザ操作制限手段において、前記再生制御パラメータ変更手段によるナビゲーションデータに従ったシステムパラメータの変更の発生頻度を予測し、予測した発生頻度と、前記再生制御パラメータ変更手段によるユーザ操作に応じた前記システムパラメータの変更の発生頻度の和が、所定の頻度以下となるように、前記再生制御パラメータ変更手段によるユーザ操作に応じた前記システムパラメータの変更を制限するものとしてもよい。
【００１２】
すなわち、より具体的には、たとえば、前記システムパラメータは、DVD-Audio規格で規定されたASV番号SPRM(24)と、選択状態用ハイライトボタン番号SPRM(8)であってよく、この場合には、前記再生制御パラメータ変更手段は、前記プレゼンテーションデータ配信手段によるオーディオプレゼンテーションのＰＳの前記シンク装置への配信中に、DVD-Audioディスクに記録されたASVの自動遷移またはスライドショーのためのナビゲーションデータに従ってASV番号SPRM(24)を変更し、前記ユーザ操作制限手段は、前記プレゼンテーションデータ配信手段によるオーディオプレゼンテーションのＰＳの前記シンク装置への配信中に、前記再生制御パラメータ変更手段によるナビゲーションデータに従ったASV番号SPRM(24)の変更の発生頻度を予測し、予測した発生頻度と、前記再生制御パラメータ変更手段によるユーザ操作に応じた前記システムパラメータの変更の発生頻度の和が、所定の頻度以下となるように、前記再生制御パラメータ変更手段によるユーザ操作に応じた前記システムパラメータの変更を制限する。
【００１３】
このようにすることにより、ナビゲーションデータに従ったシステムパラメータの変更をも考慮した上で、前記ＰＳに多重化されるシステムパラメータのデータレートが所定のレート以下となるように、前記再生制御パラメータ変更手段によるユーザ操作に応じた前記システムパラメータの変更を制限することができるので、過不足なくユーザ操作を制限することができるようになる。
【００１４】
また、以上のようなDVD-Audio再生システムは、前記再生制御パラメータ変更手段において、DVD-Audioディスクに記録された、ランダムなタイミングでのシステムパラメータの変更を指定するナビゲーションデータに従って、ランダムに設定したタイミングでシステムパラメータを変更し、かつ、前記ユーザ操作に応じた記システムパラメータの変更を行った場合に、前記ナビゲーションデータに従ってシステムパラメータを変更するタイミングを、より小さい発生頻度で前記ナビゲーションデータに従ったシステムパラメータの変更が発生するように変化させるようにしてもよい。
【００１５】
すなわち、より具体的には、たとえば、前記システムパラメータは、DVD-Audio規格で規定されたASV番号SPRM(24)と、選択状態用ハイライトボタン番号SPRM(8)であってよく、この場合、前記再生制御パラメータ変更手段は、前記プレゼンテーションデータ配信手段によるオーディオプレゼンテーションのＰＳの前記シンク装置への配信中に、DVD-Audioディスクに記録されたASVのランダムなタイミングでの自動遷移のためのナビゲーションデータに従って、当該ランダムなタイミングを決定し、決定したランダムなタイミングでASV番号SPRM(24)を変更し、かつ、前記ユーザ操作に応じた記システムパラメータの変更を行った場合に、前記ASVのランダムなタイミングでの自動遷移のためのナビゲーションデータに従ってASV番号SPRM(24)を変更するタイミングを、より小さい発生頻度で前記ナビゲーションデータに従ったASV番号SPRM(24)の変更が発生するように変化させる。
【００１６】
このようにすることにより、ナビゲーションデータに従ったシステムパラメータの更新の頻度を小さくして、ユーザ操作が受け付けられる機会をより多く確保することができるようになる。
【００１７】
ここで、以上のＤＶＤオーディオ再生システムにおける、ユーザ操作に応じた前記システムパラメータの変更を制限する技術は、DVD-Videoディスクを再生するＤＶＤビデオ再生システムなどの他のＤＶＤ再生システムにも同様に適用することができる。
すなわち、この場合には、たとえば、DVDディスクからデータを読み出すソース装置と、ソース装置に伝送路を介して接続した１以上のシンク装置とを有するＤＶＤ再生システムにおいて、前記ソース装置に、DVDディスクから読み出した、プレゼンテーションデータが多重化されたＰＳ(Program Stream)を、前記シンク装置に、前記伝送路を介して配信するプレゼンテーションデータ配信手段と、当該ソース装置の前記DVDディスクの再生制御パラメータであるところのシステムパラメータをユーザ操作に応じて変更する再生制御パラメータ変更手段と、前記再生制御パラメータ変更手段が前記システムパラメータを変更したときに、前記プレゼンテーションデータ配信手段が配信するＰＳに、前記システムパラメータを多重化するシステムパラメータ多重化手段と、前記ＰＳに多重化されるシステムパラメータのデータレートが所定のレート以下となるように、前記再生制御パラメータ変更手段によるユーザ操作に応じた前記システムパラメータの変更を制限するユーザ操作制限手段とを備え、前記シンク装置に、前記ソース装置から配信されたＰＳから分離した前記システムパラメータを用いつつ、前記ソース装置から配信されたＰＳから分離したプレゼンテーションデータをデコードして出力するデコード手段を備えるようにすればよい。
【００１８】
なお、以上のＤＶＤ再生システムや、ＤＶＤオーディオ再生システムは、自動車に搭載されるものであってよい。
【発明の効果】
【００１９】
以上のように、本発明によれば、ソース装置と複数のシンク装置を備え、ソース装置から各シンク装置に転送するデータとして、DVD-Audioディスクに記録されているPSと同様な構成を持つPSを用いるＤＶＤオーディオ再生システムにいて、ソース装置からソース装置へのシステムパラメータの送信のために、シンク装置におけるオーディオデータのシームレスな再生が阻害されないようにすることができる。
【発明を実施するための最良の形態】
【００２０】
以下、本発明の実施形態に係るＤＶＤオーディオ再生システムについて、自動車に搭載されるＤＶＤオーディオ再生システムへの適用を例にとり説明する。
図１に、本実施形態に係るＤＶＤオーディオ再生システムの構成を示す。
図示するように、ＤＶＤオーディオ再生システムは、ソース装置１、ソース装置１の外部記憶装置と設けられ、装着されたDVD-Audioディスク２のアクセスを行うＤＶＤドライブ３、車載ＬＡＮ４、車載ＬＡＮ４に接続したユーザインタフェースユニット５を備えている。また、ＤＶＤオーディオ再生システムは、車載ＬＡＮ４に接続したシンク装置６、シンク装置６から入力するオーディオを表示する表示装置７、シンク装置６から入力する音声を出力する音声を出力する音声出力装置８のセットを１または複数備えている。
【００２１】
なお、車載ＬＡＮ４には、他のシステムを構成する装置も接続されていてもよい。
さて、ここで、DVD-Audioディスク２に記録されるデータは、大別して、ユーザに対して出力するプレゼンテーションの実体であるプレゼンテーションデータと、プレゼンテーションの実行を制御するためのナビゲーションデータとよりなる。
【００２２】
また、DVD-Audioディスク２のDVD-Audioゾーンは、各種データの格納単位であるPACKを多重化したPS（Program Stream）が記録されている。
そして、このPSには、ビジュアルメニュープレゼンテーションのプレゼンテーションデータであるビデオやサブピクチャやオーディオなどデータを格納したPACKが多重化されたビジュアルメニュー用のPS（AMGM_VOBの列）と、オーディオプレゼンテーションのプレゼンテーションデータであるオーディオデータを格納したPACKが多重化されたオーディオプレゼンテーション用のPS(AOTT_AOBの列)と、ASVプレゼンテーションのプレゼンテーションデータであるASVデータを格納したPACKが多重化されたASVUのPS(ASVOBの列)とがある。ここで、ASVプレゼンテーションとは、オーディオプレゼンテーションのオーディオ出力中に並行して表示出力されるプレゼンテーションであり、このASVプレゼンテーションでは、ASVUのPSに含まれるASVデータが規定するASVが、オーディオプレゼンテーションのオーディオ出力と並行して表示出力されることになる。また、このASVは、静止画と静止画に重畳表示されるボタンとを含むことができ、このようなASVのASVデータは、前記静止画であるスチルピクチャと、前記ボタンの外見を定義するサブピクチャと、ユーザ操作状態に応じた前記ボタンの表示属性の制御情報であるHLIとを含むことができる。
【００２３】
なお、ビジュアルメニュープレゼンテーション用のナビゲーションデータの一部は、ビジュアルメニュー用のPSの一部を構成する形態で、DVD-Audioディスク２に記録されている。
次に、図２に、ソース装置１とシンク装置６の内部構成を示す。
図示するように、ソース装置１は、ナビゲーションマネージャ１１、制御情報メモリ１２、ＰＳ多重分離部１３（PS-Demux１３)、ＰＳ多重化部１４（PS-Mux１５)、送信バッファ１５、車載ＬＡＮインタフェース１６とを有している。
このような構成において、ＰＳ多重分離部１３は、ＤＶＤドライブ３を介してDVD-Audioディスク２から入力するPSを各PACKに多重分離し、ナビゲーションデータを格納したPACKについては、当該PACKに格納されているデータをナビゲーションマネージャ１１に送る。
一方、ナビゲーションマネージャ１１は、ＤＶＤドライブ３を介してDVD-Audioディスク２から読み出したPS外のナビゲーションデータやＰＳ多重分離部１３から送られたナビゲーションデータに基づいて、DVD-Audioディスク２のPSの再生シーケンスの決定や、決定した再生シーケンスに従った、DVD-Audioディスク２からのPSの読み出しの制御などを行う。また、ナビゲーションマネージャ１１は、取得したナビゲーションデータや、現在のDVD-Audioディスク２の再生制御状態を表すシステムパラメータを、制御情報メモリ１２に保持管理する。
【００２４】
また、ナビゲーションマネージャ１１は、シンク装置６においてPSのデコードに必要となるシステムパラメータやナビゲーションデータを格納したORG_PCKを生成し、ＰＳ多重化部１４に送る。
一方、ＰＳ多重化部１４は、ＰＳ多重分離部１３が分離した各PACKを再度多重化してPSを再構成し、PSのデータを送信バッファ１５に格納する。ただし、ナビゲーションマネージャ１１からORG_PCKが送られた場合には、このORG_PCKもＰＳ多重分離部１３が分離した各PACKと多重化してPSを再構成し、PSのデータを送信バッファ１５に格納する。
【００２５】
そして、車載ＬＡＮインタフェース１６は、送信バッファ１５からPSのデータを順次読み出し、車載ＬＡＮ４を介して各シンク装置６に配信する。
次に、各シンク装置６は、ローカル車載ＬＡＮインタフェース６１と、デコードマネージャ６２と、ローカル制御情報メモリ６３と、受信バッファ６４と、プレゼンテーションエンジン６５とを有する。そして、プレゼンテーションエンジン６５は、ローカルＰＳ多重分離部６５１、ローカルＰＳ多重分離部６５１が分離したＡＳＶＵのデータを格納するＡＳＶＵバッファ６５２、ＡＳＶデコーダ６５３、ビジュアルメニューデコーダ６５４、オーディオデコーダ６５５を有している。
【００２６】
そして、このような構成において、ローカルＰＳ多重分離部６５１は、ローカル車載ＬＡＮインタフェース６１が、ソース装置１から受信したPSを多重分離し、オーディオプレゼンテーションのPSから分離したORG_PCKのデータをデコードマネージャ６２に送ると共に、ビジュアルメニュー用のPSから分離したナビゲーションデータをデコードマネージャ６２に送る。
【００２７】
また、ローカルＰＳ多重分離部６５１は、ASVUのPSから分離したASVUのデータをＡＳＶＵバッファ６５２に格納し、オーディオプレゼンテーションのPSから分離したオーディオデータをオーディオデコーダ６５５に送り、ビジュアルメニュー用のPSから分離したデータをビジュアルメニューデコーダ６５４に送る。
【００２８】
そして、オーディオデコーダ６５５はローカルＰＳ多重分離部６５１から入力するオーディオデータを復号し、音声出力装置８に出力する。また、ＡＳＶデコーダ６５３は、ＡＳＶＵバッファ６５２に格納されたASVUのデータを読み出してASVをデコードし、表示装置７に表示する。また、ビジュアルメニューデコーダ６５４は、ローカルＰＳ多重分離部６５１から入力するビジュアルメニューのデータをデコードし、ビジュアルメニューを構成する映像を表示装置７に、ビジュアルメニューを構成する音声を音声出力装置８に出力する。なお、ビジュアルメニューは、オーディオデータ、ビデオビデオデータ、サブピクチャデータ、HLIなどを含むので、ビジュアルメニューデコーダ６５４のオーディオデータのデコードを行う機能部は、オーディオデコード部と共用してよく、ビジュアルメニューのサブピクチャ、HLIのデコードを行う機能部は、ＡＳＶデコーダ６５３のサブピクチャ、HLIのデコードを行う機能部と共用してよい。
【００２９】
ここで、プレゼンテーションエンジン６５において、図３ａに示すように、オーディオプレゼンテーションの出力と並行してASVを再生して表示出力できるように、一つのASVUが適用されるオーディオプレゼンテーションの範囲であるASVU範囲のオーディオプレゼンテーションのPSに先立って、当該ASVU範囲のオーディオプレゼンテーションの出力中に用いられるASVUのPSは、ナビゲーションマネージャ１１の制御によってソース装置１からシンク装置６に配信され、シンク装置６において、ＡＳＶＵバッファ６５２に格納される。
【００３０】
さて、デコードマネージャ６２は、ローカルＰＳ多重分離部６５１から通知されたナビゲーションデータと、ローカルに管理しているローカルシステムパラメータに従って、以上に示したプレゼンテーションエンジン６５の各PSのデコード処理を制御する。なお、このナビゲーションデータとローカルシステムパラメータはローカル制御情報メモリ６３を用いて保持管理する。
【００３１】
また、このローカルシステムパラメータとしては、ＡＳＶＵバッファ６５２に格納されたASVUに含まれるASVの内の表示装置７に表示するASVを指定するASV番号SPRM(24)、サブピクチャ、HLIで定義されているボタンのうちの選択状態としてハイライト表示するボタンを指定する選択状態用ハイライトボタン番号SPRM(8)を少なくとも用いる。また、このローカルシステムパラメータのASV番号SPRM(24)、SPRM(8)の値としては、ソース装置１からORG_PCKに格納されてシンク装置６に配信されたシステムパラメータSPRM(24)、SPRM(8)の値をそのまま用いる。なお、このORG_PCKのデータは、前述のようにローカルＰＳ多重分離部６５１からデコードマネージャ６２に通知される。
【００３２】
そして、デコードマネージャ６２は、このローカルシステムパラメータASV番号の値に従って、プレゼンテーションエンジン６５のＡＳＶデコーダ６５３でデコードするASVを制御したり、ローカルシステムパラメータSPRM(8)の値に従って、ビジュアルメニューデコーダ６５４やＡＳＶデコーダ６５３で選択状態としてハイライト表示するボタンを制御する処理を行う。
【００３３】
以下、このシステムパラメータSPRM(24)、SPRM(8)を、オーディオプレゼンテーションの出力中に、シンク装置６に配信するためにソース装置１のナビゲーションマネージャ１１が行う処理について説明する。
まず、ユーザインタフェースユニット５は、ユーザからASV切り替え操作や選択ボタン変更操作などのユーザ操作を受け付けると、車載ＬＡＮ４を介してソース装置１のナビゲーションマネージャ１１に、受け付けた操作の内容を表すユーザ操作情報を通知する。
ナビゲーションマネージャ１１は、オーディオプレゼンテーションのPSをシンク装置６に配信中、ナビゲーションデータに従ってシステムパラメータSPRM(24)、SPRM(8)の値を変更する他、ユーザインタフェースユニット５から通知されたユーザ操作情報が表すユーザ操作に応じてもシステムパラメータSPRM(24)、SPRM(8)の値を変更する。すなわち、ユーザインタフェースユニット５からASV切り替え操作を通知されたならばASV番号SPRM(24)を操作内容に応じて変更し、ユーザインタフェースユニット５から選択ボタン変更操作を通知された場合には、選択状態用ハイライトボタン番号SPRM(8)を、通知された操作内容に応じて変更する。
そして、ナビゲーションマネージャ１１は、システムパラメータSPRM(24)、SPRM(8)の値を変更したならば、上述のように変更後のシステムパラメータSPRM(24)、SPRM(8)の値を格納したORG_PCKを生成し、ＰＳ多重化部１４に送り、ＰＳ多重化部１４は、オーディオプレゼンテーションのPSに、ナビゲーションマネージャ１１から受け取ったORG_PCKを多重化し、送信バッファ１５、車載ＬＡＮインタフェース１６を介してシンク装置６に送信する。
【００３４】
ここで、図３ｂは、このようなORG_PCKの多重化のようすを示したものである。
図３ｂ２に示すように、DVD-Audioディスク２から読み出された、オーディオプレゼンテーションのPSは、オーディオデータを格納したA-PCKと、リアルタイム情報を格納したRTI_PCKが多重化されたものである。なお、RTI_PCKに格納されるリアルタイム情報の内容はアプリケーションによって異なり、また、このRTI_PCKは存在しなくてもよい。
【００３５】
そして、図３ｂ１に示すように、ユーザインタフェースユニット５でユーザ操作が発生し、これに応じて、システムパラメータSPRM(24)、SPRM(8)の値が変更されると、図３ｂ３に示すように、変更後のシステムパラメータSPRM(24)、SPRM(8)の値を格納したORG_PCKが、オーディオプレゼンテーションのPSの、システムパラメータSPRM(24)、SPRM(8)の値変更直後のPACKの次の位置に挿入され、シンク装置６に送信される。
【００３６】
さて、このようにシステムパラメータSPRM(24)、SPRM(8)の値が変更される毎に、ORG_PCKをオーディオプレゼンテーションのPSに挿入するようにすると、当該システムパラメータSPRM(24)、SPRM(8)の変更の頻度すなわちORG_PCK挿入の頻度が大きくなると、オーディオプレゼンテーションのPSのオーディオデータを格納したA-PCKの送信レートが低下する。そして、A-PCKの送信レートの低下に伴って、A-PCKに格納されているオーディオデータの転送レートが、シンク装置６におけるオーディオデータの処理のレートよりも低くなると、受信バッファに処理するオーディオデータが存在しなくなって、シンク装置６においてシームレスにオーディオデータを再生することができなくなる。
【００３７】
そこで、本実施形態では、ソース装置１にナビゲーションマネージャ１１において、オーディオプレゼンテーションの再生中のシステムパラメータSPRM(24)、SPRM(8)の値の変更頻度を、オーディオデータのシームレスな再生に支障が生じない頻度以下に抑制するために、図４に示すSPRM更新制限処理を行う。
【００３８】
図示するように、この処理では、まず、再生するオーディオプレゼンテーションのASVU範囲、すなわち、PSの形態でシンク装置６へ配信するオーディオプレゼンテーションのASVU範囲が切り替わるのを待ち（ステップ４０２）、ASVU範囲が切り替わったならば、DVD-Audioディスク２から読み出しているPSのデータレート、すなわち、ORG_PCKを挿入しなかった場合のPSの送信レートを、PSに含まれるオーディオデータのビットレートに基づいて取得する（ステップ４０４）。なお、PSにリアルタイム情報が含まれる場合には、このリアルタイム情報の単位時間あたりのデータ量も考慮して、このPSの送信レートを算出する。
【００３９】
次に、算出したPSの送信レート、車載ＬＡＮ４上でPSの伝送に使用できる伝送帯域、ソース装置１の送信バッファ１５やシンク装置６の受信バッファ６４のバッファ容量に従って、単位時間あたりの、システムパラメータSPRM(24)、SPRM(8)の値の更新の制限回数を算出する（ステップ４０６）。ここで、システムパラメータSPRM(24)、SPRM(8)の値の更新の制限回数とは、その制限回数以上の個数のORG_PCKをPSに多重化してシンク装置６に送信すると、シンク装置６において、オーディオデータのシームレスな再生ができなくなってしまう回数を言う。
【００４０】
そして、次に、シンク装置６へ配信しているオーディオプレゼンテーションのASVU範囲の切り替わりの発生（ステップ４０８）と、ユーザインタフェースユニット５からのユーザ操作情報の受信の発生、すなわち、ユーザ操作の発生（ステップ４１０）とを監視し、シンク装置６へ配信しているオーディオプレゼンテーションのASVU範囲の切り替わりが発生したならば、ステップ４０４からの処理に戻る。
【００４１】
一方、ユーザ操作が発生した場合には、現在、再生中のオーディオプレゼンテーションのASVU範囲に対応するASVUが、ASVの表示期間がナビゲーションデータによって規定されているもの（スライドショーまたは表示期間の固定設定が指定された自動遷移を伴うブラウザブルピクチャ）であるかどうか（ステップ４１２）、または、再生中のオーディオプレゼンテーションのASVU範囲に対応するASVUが、ASVの表示期間がユーザ操作のタイミングでのみ決定されるもの（自動遷移のないブラウザブルピクチャ）であるかどうか（ステップ４１４）を判定する。なお、ステップ４１２、４１４に該当しない場合、再生中のオーディオプレゼンテーションのASVU範囲に対応するASVUは、ASVの表示期間をランダムに決定すべきもの（表示期間のランダム設定が指定された自動遷移を伴うブラウザブルピクチャ）であることになる。
【００４２】
そして、再生中のオーディオプレゼンテーションのASVU範囲に対応するASVUが、ASVの表示期間がナビゲーションデータによって規定されているもの（スライドショーまたは表示期間の固定設定が指定された自動遷移を伴うブラウザブルピクチャ）であると判定された場合（ステップ４１２）には、ナビゲーションデータによって指定されたASVの表示期間の境界毎に生じる、表示するASVの切り替えに伴うシステムパラメータASV番号SPRM(24)の更新の単位時間当たりの発生回数を見積もる。そして、見積もった発生回数だけシステムパラメータASV番号SPRM(24)の更新が発生するものとして、システムパラメータSPRM(24)、SPRM(8)の値の単位時間当たりの更新回数が、ステップ４０６で算出した単位時間あたりのシステムパラメータSPRM(24)、SPRM(8)の値の更新の制限回数を超えないことが保証できるように、ナビゲーションマネージャ１１において、ユーザ操作の受付を行わないユーザ操作禁止期間を設定する（ステップ４２４）。そしてステップ４２０に進む。
【００４３】
すなわち、たとえば、単位時間を１０秒として、ステップ４０４で算出した単位時間あたりのシステムパラメータSPRM(24)、SPRM(8)の値の更新の制限回数が、３回/１０秒であり、ナビゲーションデータによって指定されたASVの表示期間の境界毎に生じる、表示するASVの切り替えに伴うシステムパラメータASV番号SPRM(24)の更新の発生回数の見積もりが２回/１０秒であれば、既にステップ４１０で検出されたユーザ操作によるシステムパラメータSPRM(24)またはSPRM(8)の更新が１回発生しているので、次の１０秒間をユーザ操作禁止期間として設定する。このようにすることにより、以降１０秒以内にユーザ操作によるシステムパラメータSPRM(24)またはSPRM(8)の更新が発生し、システムパラメータSPRM(24)、SPRM(8)の値の更新回数が、ステップ４０４で算出した制限回数３回/１０秒を超えることを抑止するができる。
【００４４】
ただし、このステップ４２４では、たとえば、ステップ４０４で算出した許容できるシステムパラメータSPRM(24)、SPRM(8)の値の更新回数が４回/１０秒であり、ナビゲーションデータによって指定されたASVの表示期間の境界毎に生じる、表示するASVの切り替えに伴うシステムパラメータASV番号SPRM(24)の更新の発生回数の見積もりが２回/１０秒である場合には、ステップ４１０で検出されたユーザ操作によるシステムパラメータSPRM(24)またはSPRM(8)の更新後、単位時間である１０秒以内に、もう一度、ユーザ操作によるシステムパラメータSPRM(24)またはSPRM(8)の更新が生じても、更新の回数は、ステップ４０４で算出した制限回数を超えない。そこで、このような場合には、ユーザ操作禁止期間を０として設定し、単位時間である１０秒以内に、もう一度、ユーザ操作によるシステムパラメータSPRM(24)またはSPRM(8)の更新が生じると、更新の回数が、ステップ４０４で算出した制限回数を超えることになる場合にのみ、単位時間である１０秒をユーザ操作禁止期間として設定するようにしてもよい。
【００４５】
次に、ステップ４１４において、再生中のオーディオプレゼンテーションのASVU範囲に対応するASVUが、ASVの表示期間がユーザ操作のタイミングでのみ決定されるもの（自動遷移のないブラウザブルピクチャ）であると判定された場合には、システムパラメータSPRM(24)、SPRM(8)の値の単位時間当たりの更新回数が、ステップ４０６で算出した単位時間のシステムパラメータSPRM(24)、SPRM(8)の値の更新の制限回数を超えないことが保証できるように、ナビゲーションマネージャ１１において、ユーザ操作の受付を行わないユーザ操作禁止期間を設定する（ステップ４２６）。そしてステップ４２０に進む。
【００４６】
なお、このステップ４２６におけるユーザ操作禁止期間の設定は、ステップ４２４において、ナビゲーションデータによって指定されたASVの表示期間の境界毎に生じる、表示するASVの切り替えに伴うシステムパラメータASV番号SPRM(24)の更新の単位時間当たりの発生回数を０として見積もった場合のユーザ操作禁止期間の設定と同様の処理となる。
次に、ステップ４１２、４１４に該当しない場合、すなわち、再生中のオーディオプレゼンテーションのASVU範囲に対応するASVUは、ASVの表示期間をランダムに決定すべきもの（表示期間のランダム設定が指定された自動遷移を伴うブラウザブルピクチャ）である場合には、まず、ASV表示期間を変更する（ステップ４１６）。
【００４７】
このASV表示期間の変更は、基本的には、ステップ４０６で算出した単位時間あたりのシステムパラメータSPRM(24)、SPRM(8)の値の更新の制限回数が小さいほど、各ASVの表示期間が長くなるように行う。たとえば、単位時間を１０秒として、ステップ４０４で算出した制限回数が２回/１０秒であれば、既にステップ４１０で検出されたユーザ操作によるシステムパラメータSPRM(24)またはSPRM(8)の更新が１回発生しているので、次の１０秒間に１度以上、ASVの表示期間の境界における表示するASVの切り替えに伴うシステムパラメータASV番号SPRM(24)の更新が生じないように、１０秒にASVの表示期間を変更する。なお、このようにASVの表示期間を変更した場合には、適当な契機で（たとえば、単位時間である１０秒以上ユーザ操作が発生しなかった場合）に元の表示期間にASVの表示期間を復帰するようにしてもよい。
【００４８】
そして、ステップ４２４と同様に、変更したASVの表示期間の境界毎に生じる、表示するASVの切り替えに伴うシステムパラメータASV番号SPRM(24)の更新の単位時間当たりの発生回数を見積もる。そして、見積もった発生回数だけシステムパラメータASV番号SPRM(24)の更新が発生するものとして、システムパラメータSPRM(24)、SPRM(8)の値の単位時間当たりの更新回数が、ステップ４０６で算出した単位時間あたりのシステムパラメータSPRM(24)、SPRM(8)の値の更新の制限回数を超えないことが保証できるように、ナビゲーションマネージャ１１において、ユーザ操作の受付を行わないユーザ操作禁止期間を設定する（ステップ４１８）。そしてステップ４２０に進む。
【００４９】
さて、ステップ４２０に進んだならば、ユーザ操作禁止期間の経過（ステップ４２０）と、シンク装置６へ配信しているオーディオプレゼンテーションのASVU範囲の切り替わりの発生（ステップ４２２）を監視する。そして、ユーザ操作禁止期間が経過したならば（ステップ４２０）、ステップ４０８からの処理に戻る。一方、ASVU範囲の切り替わりが発生したならば（ステップ４２２）、ステップ４０４からの処理に戻る。
【００５０】
以上、本発明の実施形態について説明した。
以上のように、本実施形態では、ソース装置１において、配信するオーディオプレゼンテーションのＰＳにシステムパラメータSPRM(24)、SPRM(8)を多重化してシンク装置６へ送信することにより、ソース装置１のシステムパラメータSPRM(24)、SPRM(8)とシンク装置６のローカルシステムパラメータのSPRM(24)、SPRM(8)の値を一致させる。また、オーディオプレゼンテーションのＰＳのソース装置１からシンク装置６への配信中には、ユーザ操作の受付を制限して、前記ＰＳに多重化されるシステムパラメータSPRM(24)、SPRM(8)の変化が過剰な頻度で生じ、システムパラメータSPRM(24)、SPRM(8)のソース装置１からシンク装置６への送信のために、シームレスに再生できるようにオーディオデータをソース装置１からシンク装置６に送信できなくなってしまうことを抑制する。また、それが可能な場合には、ナビゲーションデータに従ったシステムパラメータASV番号SPRM(24)の更新の頻度が小さくなるようにして、ある程度のユーザ操作の受け付けの機会を確保しつつ、システムパラメータSPRM(24)、SPRM(8)のソース装置１からシンク装置６への送信のために、シームレスに再生できるようにオーディオデータをソース装置１からシンク装置６に送信できなくなってしまうことを抑制する。
【００５１】
ところで、以上の実施形態では、ソース装置１から、システムパラメータSPRM(24)、SPRM(8)の値を、ORG_PCKによってシンク装置６に通知し、シンク装置６においてORG_PCKによって通知されたシステムパラメータSPRM(24)、SPRM(8)の値に一致するようにローカルシステムパラメータSPRM(24)、SPRM(8)を変更したが、このローカルシステムパラメータSPRM(24)、SPRM(8)の変更は以下のようにしてもよい。
【００５２】
すなわち、ユーザインタフェースユニット５は、ユーザ操作を受け付けると、車載ＬＡＮ４を介してソース装置１のナビゲーションマネージャ１１とシンク装置６のデコードマネージャ６２の双方に、受け付けた操作の内容を表すユーザ操作情報を通知する。そして、ソース装置１のナビゲーションマネージャ１１において、ユーザインタフェースユニット５から通知されたユーザ操作情報が表すユーザ操作に応じて、システムパラメータSPRM(24)、SPRM(8)の値を変更し、変更後のシステムパラメータSPRM(24)、SPRM(8)の値を、ORG_PCKによってシンク装置６に通知する。一方、シンク装置６のデコードマネージャ６２においても、ユーザインタフェースユニット５から通知されたユーザ操作情報が表すユーザ操作に応じて、ローカルシステムパラメータSPRM(24)、SPRM(8)の値を変更する。また、シンク装置６のデコードマネージャ６２は、ソース装置１からORG_PCKによって通知されたシステムパラメータSPRM(24)、SPRM(8)の値と、ローカルシステムパラメータSPRM(24)、SPRM(8)の値が一致しない場合には、ローカルシステムパラメータSPRM(24)、SPRM(8)の値を、ORG_PCKによって通知されたシステムパラメータSPRM(24)、SPRM(8)の値に一致するように変更する。
【００５３】
このようにすることにより、シンク装置６において、ユーザ操作に応答してすみやかにローカルシステムパラメータSPRM(24)、SPRM(8)の値を変更し、変更後のローカルシステムパラメータSPRM(24)、SPRM(8)の値に応じたデコード動作を即座に開始することができるようになる。また、ソース装置１のシステムパラメータSPRM(24)、SPRM(8)の値と、シンク装置６のローカルシステムパラメータSPRM(24)、SPRM(8)の値の一致性も保証することができる。
【００５４】
なお、以上の実施形態におけるユーザ操作を制限する技術は、ソース装置１でDVD-Videoディスク２から読み出したビデオデータの再生出力をシンク装置６において行うＤＶＤビデオ再生システムにも同様に適用することができる。
【図面の簡単な説明】
【００５５】
【図１】本発明の実施形態に係るＤＶＤオーディオ再生システムの構成を示すブロック図である。
【図２】本発明の実施形態に係るソース装置とシンク装置の構成を示すブロック図である。
【図３】ASVとオーディオプレゼンテーションの再生シーケンス例と、本発明の実施形態に係るＤＶＤオーディオ再生システムのソース装置とシンク装置間で伝送するＰＳのフォーマットを示す図である。
【図４】本発明の実施形態に係るＤＶＤオーディオ再生システムのシステムパラメータ更新制限処理を示すフローチャートである。
【符号の説明】
【００５６】
１…ソース装置、２…DVD-Audioディスク、３…ＤＶＤドライブ、４…車載ＬＡＮ、５…ユーザインタフェースユニット、６…シンク装置、７…表示装置、８…音声出力装置、１１…ナビゲーションマネージャ、１２…制御情報メモリ、１３…ＰＳ多重分離部、１４…ＰＳ多重化部、１５…送信バッファ、１６…車載ＬＡＮインタフェース、６１…ローカル車載ＬＡＮインタフェース、６２…デコードマネージャ、６３…ローカル制御情報メモリ、６４…受信バッファ、６５…プレゼンテーションエンジン、６５１…ローカルＰＳ多重分離部、６５２…ＡＳＶＵバッファ、６５３…ＡＳＶデコーダ、６５４…ビジュアルメニューデコーダ、６５５…オーディオデコーダ。
【図１】
0004410752.tif 000002
【図２】
0004410752.tif 000003
【図３】
0004410752.tif 000004
【図４】
0004410752.tif 000005